(57)【要約】【課題】従来の変換器では設定部及び表示部を、本体部を分離することなく点検又は交換することができない。【解決手段】変換器２は、（Ａ）検出器からのデータを処理するメイン基板３１２と、メイン基板３１２が収められている筒状のメインケース３１１とを有する本体部３１と、（Ｂ）電磁流量計の測定対象である流量の測定に関する値がユーザによって設定される設定部３２１と、メイン基板３１２によって得られる値及び設定部３２１に設定される値を表示する表示部３２２と、設定部３２１及び表示部３２２が収められているとともにメインケース３１１側の端部が開口しておりメインケース３１１の前方端部の開口部に着脱されるフロントケース３２３とを有するフロントモジュール３２と、（Ｃ）メインケース３１１側の端部が開口しておりメインケース３１１の後方端部の開口部に着脱されるリアケース３３とを備える。【選択図】図３
2009257818.tif 000002
【特許請求の範囲】
【請求項１】
検出器とともに電磁流量計を構成する変換器であって、
前記検出器によって得られるデータを処理する処理部と、前記処理部が収められている筒状のメインケースとを有する本体部と、
前記電磁流量計の測定対象である流量の測定に関する値がユーザによって設定される設定部と、前記処理部によって得られる値及び前記設定部に設定される値を表示する表示部と、前記設定部及び前記表示部が収められているとともに前記メインケース側の端部が開口しており前記メインケースの前方端部の開口部に着脱されるフロントケースとを有するフロントモジュールと、
前記メインケース側の端部が開口しており前記メインケースの後方端部の開口部に着脱されるリアケースと
を備える変換器。
【請求項２】
前記設定部は、前記フロントモジュールの外部からの押圧による指示に反応する機械式スイッチにより構成されている
請求項１に記載の変換器。
【請求項３】
前記フロントケースには、前記メインケース側の端部の開口とは異なる開口である第１の切り欠きと第２の切り欠きとが設けられており、
前記表示部は、前記第１の切り欠きを塞ぐように前記フロントケースの前記メインケース側の開口部側から前記フロントケースに接している透明板と、開口部が設けられていて前記透明板に重なるように接しているプレートと、前記プレートの前記開口部を塞ぐように前記プレートに接している液晶表示装置とを含み、
前記設定部は、前記第２の切り欠きを貫き前記第２の切り欠きを摺動する棒状体と、前記棒状体に指示される押圧を検知するスイッチ基板とを含む機械式スイッチにより構成されている
請求項２に記載の変換器。
【請求項４】
前記設定部は、更に、前記第２の切り欠きと前記棒状体との空間を埋めるＯ（オウ）リングを含み、
前記棒状体は、前記フロントモジュールの外部から押圧されると前記第２の切り欠きから前記スイッチ基板の向きに摺動し、押圧が解除されると前記スイッチ基板から前記第２の切り欠きの向きに摺動して押圧される前の位置に戻る
請求項３に記載の変換器。
【請求項５】
前記設定部は、タクトスイッチにより構成されている
請求項４に記載の変換器。
【請求項６】
前記本体部は、更に、前記メインケース内の前記処理部より前記リアケース寄りに前記メインケースに着脱可能に収められていて、前記処理部によって得られる値を前記電磁流量計の外部に出力する出力端子台と前記出力端子台に一体化される電源基板とを含む端子台モジュールを有する
請求項１に記載の変換器。
【請求項７】
前記端子台モジュールは、前記出力端子台及び前記電源基板が配置されている端子台カバーを持ち、
前記出力端子台と前記電源基板とは、前記端子台カバーを介して一体化されている
請求項６に記載の変換器。
【請求項８】
前記端子台モジュールは、更に、信号のノイズを除去する保護部品が設けられていて前記端子台カバーと前記電源基板との間に配置されている端子台基板を持ち、
前記電源基板は、トランスと、電解コンデンサとを持つ
請求項７に記載の変換器。
【請求項９】
前記端子台モジュールは、更に、前記端子台カバーと前記端子台基板との間に設けらている、前記処理部によって得られる信号を前記端子台基板へ中継する中継基板を持つ
請求項８に記載の変換器。
【請求項１０】
導電性流体に磁界を印加し、それにより電圧を得る検出器と、
前記検出器によって得られる電圧を流量に変換する変換器とを備え、
前記変換器は、（Ａ）前記検出器によって得られるデータを処理する処理部と、前記処理部が収められている筒状のメインケースとを有する本体部と、（Ｂ）前記電磁流量計の測定対象である流量の測定に関する値がユーザによって設定される設定部と、前記処理部によって得られる値及び前記設定部に設定される値を表示する表示部と、前記設定部及び前記表示部が収められているとともに前記メインケース側の端部が開口しており前記メインケースの前方端部の開口部に着脱されるフロントケースとを含むフロントモジュールと、（Ｃ）前記メインケース側の端部が開口しており前記メインケースの後方端部の開口部に着脱されるリアケースとを有する
電磁流量計。
【発明の詳細な説明】
【技術分野】
【０００１】
本発明は、ファラデーの法則による電磁気力を利用して導電性流体の流量を測定する電磁流量計と、電磁流量計を構成する変換器とに関する。
【背景技術】
【０００２】
従来から、導電性流体の流量を測定する装置として、流体に磁界を印加することにより得られる電圧を利用して流量を測定する電磁流量計が知られている。電磁流量計は、導電性流体に磁界を印加しそれにより電圧を得る検出器と、検出器によって得られる電圧を流量及び流量に対応する電流値に変換する変換器とで構成されている。
【０００３】
従来の変換器は、本体部と、本体部の前方端部に配置されるフロント部と、本体部の後方端部に配置されるリア部とで構成されている。本体部は、筒状のメインケースと、メインケースの内部に配置された処理部、設定部、表示部、及び出力部とで構成されている。処理部は検出器によって得られる電圧を流量及び流量に対応する電流値に変換し、設定部には測定対象である流量の測定に関する値がユーザによって設定される。従来の設定部は光学部品によって構成されている。表示部は液晶表示装置であって、処理部によって得られる値及び設定部に設定される値を表示し、出力部は処理部によって得られる値を電磁流量計の外部に出力する。
【０００４】
フロント部はガラス板等の透明板を有し、本体部を構成するメインケースを前方から覆う。ユーザはフロント部の透明板の外側から設定部に対し所望の値を光学的に設定する。リア部は本体部を構成するメインケースを後方から覆う。
【０００５】
【特許文献１】特開２００２−１９５８６１号公報
【発明の開示】
【発明が解決しようとする課題】
【０００６】
しかしながら、従来の変換器では、本体部を構成するメインケースの内部に、処理部、設定部、表示部、及び出力部が配置されているので、それらのいずれかを点検又は交換しようとする場合、本体部を分解しなければならない。電磁流量計は例えば１０年程度の長期にわたって屋外に置かれるので設定部及び表示部は故障し易い。設定部及び表示部を、本体部を分解することなく点検又は交換可能にすることが要求されている。
【０００７】
本発明は、本体部を分解することなく設定部及び表示部を交換又は点検することができる変換器を提供することを目的とする。
【課題を解決するための手段】
【０００８】
上記課題を解決し上記目的を達成するために、本発明の変換器は、検出器とともに電磁流量計を構成する変換器であって、（Ａ）前記検出器によって得られるデータを処理する処理部と、前記処理部が収められている筒状のメインケースとを有する本体部と、（Ｂ）前記電磁流量計の測定対象である流量の測定に関する値がユーザによって設定される設定部と、前記処理部によって得られる値及び前記設定部に設定される値を表示する表示部と、前記設定部及び前記表示部が収められているとともに前記メインケース側の端部が開口しており前記メインケースの前方端部の開口部に着脱されるフロントケースとを有するフロントモジュールと、（Ｃ）前記メインケース側の端部が開口しており前記メインケースの後方端部の開口部に着脱されるリアケースとを備える。
【発明の効果】
【０００９】
本発明は、本体部を分解することなく設定部及び表示部を交換又は点検することができる変換器を提供することができる。
【発明を実施するための最良の形態】
【００１０】
以下に、本発明を実施するための最良の形態を図面を参照して説明する。
【００１１】
先ず、本実施の形態に係る電磁流量計の構成を説明する。その電磁流量計はファラデーの法則による電磁気力を利用して導電性流体の流量を測定する装置であって、検出器１と変換器２とで構成されている。
【００１２】
図１は本実施の形態に係る電磁流量計の回路図である。図１に示すように、検出器１は、コイル１１と、パイプ１２と、電極１３ａ及び電極１３ｂと、信号増幅回路１４の一部であるバッファ１４１ａ及びバッファ１４１ｂと、差動増幅器１４２とで構成されている。
【００１３】
コイル１１は後述する励磁回路２４から印加される電圧によりパイプ１２に磁場を与える。パイプ１２は測定対象である導電性流体の流路である。電極１３ａ及び電極１３ｂは、パイプ１２の外周の対向する位置に設けられており、コイル１１による磁場とパイプ１２を流れる導電性流体とがファラデーの法則による電磁気力により発生させる電圧を得るための部品である。信号増幅回路１４は、バッファ１４１ａと、バッファ１４１ｂと、差動増幅器１４２と、増幅器１４３とを有し、電極１３ａ及び電極１３ｂにより得られる電圧の信号を増幅する。なお、増幅器１４３は変換器２に配置されている。検出器１は鋼鉄製のハウジング内に収められている。
【００１４】
変換器２は、ＤＣ／ＤＣ変換回路２１と、チャージ回路２２と、ＤＣ／ＤＣ変換回路（信号増幅回路・ＣＰＵ用電源）２３と、励磁回路２４と、信号増幅回路１４の残部である増幅器１４３と、Ａ／Ｄ変換器２５と、ＣＰＵ（演算・制御）２６と、絶縁回路２７とで構成されている。
【００１５】
ＤＣ／ＤＣ変換回路２１は、スイッチング電源及び電流出力回路２１１等を有し、外部電源１０からの電圧を検出器１と変換器２の内部とに印加される電圧に変換する。チャージ回路２２はＤＣ／ＤＣ変換回路２１からの電圧をチャージし、ＤＣ／ＤＣ変換回路２３はＡ／Ｄ変換器２５、ＣＰＵ２６及び信号増幅回路１４への電圧を生成する。励磁回路２４はチャージ回路２２から供給される電圧をそのままコイル１１に印加する。
【００１６】
Ａ／Ｄ変換器２５は信号増幅回路１４からのアナログの信号をディジタルの信号に変換する。ＣＰＵ２６はＡ／Ｄ変換器２５からのディジタルの信号を流量及び流量に対応する電流値に変換する。
【００１７】
また、本実施例のシステムにおいては、変換器２の内部を検出器１と共通のグランドと、外部電源１０と共通のグランドとを持つ構造としているため、検出器１にて検出された流量に基づいてＣＰＵ２６がスイッチング電源及び電流出力回路２１１を制御するために出力電流指示信号を送る経路の途中に絶縁回路２７を設けると共に、ＤＣ／ＤＣ変換回路２１のコイルの間も絶縁する構成を用いている。
【００１８】
次に、本実施の形態の検出器１の機械的な構成を説明する。
図２は本実施の形態の検出器１の分解斜視図である。図２に示すように、本実施の形態の検出器１はハウジング１１１と計測モジュール１１２とで構成されている。図２に関し更に説明すると、図２はハウジング１１１の内部に設けられている柱状の空洞部に矢印の向きに計測モジュール１１２が装着されようとする様子を示している。電磁流量計が使用される際、計測モジュール１１２はハウジング１１１の空洞部に装着される。より詳細には、計測モジュール１１２は、計測モジュール１１２のハウジング１１１への挿入方向の端面１１５を、ハウジング１１１の空洞部の軸方向の端面１１３側内面に設けられる内周面(図示せず)に当接し、位置決めされる位置まで挿入する。位置決め後、計測モジュール１１２は、図２に示す矢印方向から、図示しない雄螺子を有するフランジ部材をハウジング１１１内周面に形成される雌螺子部分に螺合させ、固定することにより、計測モジュール１１２はハウジング１１１に固定される。ハウジング１１１は、筒状の本体部１１１Ａと、本体部１１１Ａの両端に設けられている鋼鉄製のフランジ１１１Ｂとで構成されている。ハウジング１１１は例えば鋳造により形成される。
【００１９】
次に、本実施の形態の変換器２の機械的な構成を説明する。
図３は本実施の形態の変換器２の分解斜視図である。図３に示すように、本実施の形態の変換器２は、本体部３１と、フロントモジュール３２と、リアケース３３とで構成されている。
【００２０】
本体部３１は、前方端部及び後方端部が開口している筒状のメインケース３１１と、検出器１によって得られる電力データを流量に変換するメイン基板３１２と、メイン基板３１２によって得られる値を電磁流量計の外部に出力する端子台モジュール３１３とで構成されている。メイン基板３１２には図１に示されるＤＣ／ＤＣ変換回路２３と、励磁回路２４と、信号増幅回路１４の中の増幅器１４３と、Ａ／Ｄ変換器２５と、ＣＰＵ２６とが設けられている。なお、ノイズに強い信号を得るために信号増幅回路１４は電極１３ａ及び電極１３ｂにより得られる電圧の信号を増幅するが、検出器１のサイズをコンパクトにすることも要求されるため、本実施の形態では、信号増幅回路１４の中のバッファ１４１ａ、バッファ１４１ｂ、及び差動増幅器１４２のみが検出器１の内部に収められている。検出器１のサイズを考慮する必要がない場合、増幅器１４３は変換器２ではなく検出器１に収められてもよい。
【００２１】
図４は本実施の形態の変換器２の断面図である。図４に示すように、メインケース３１１の下部中央には検出器１の接続部１１６（図２参照）と接続するための開口が設けられており、その開口には検出器１と嵌合する雌ねじ３１１１ａが設けられた筒状体３１１１が配置されている。また、図４に示すようにメインケース３１１は「Ｔ」字体である。メイン基板３１２は、図３及び図４では明確に表示されているように、メインケース３１１の内部のフロントモジュール３２寄りに収められている。端子台モジュール３１３は、図３及び図４で明確に表示されているように、メインケース３１１の内部のリアケース３３寄りに、メインケース３１１に着脱可能に収められている。
より詳細には、メインケース３１１は、ケースの長手方向の前方端部に、後述するフロントモジュール３２の内部に設けられる基板の一部と、メインケース３１１内部に位置決め、保持されるメイン基板３１２を収納可能な大きさの開口部を有するとともに、その前方端部の図４に示すようなテーパ面が形成され、フロントモジュール３２の内周面に設けられるテーパ面と位置決めされ、重なり合うようになっているとともに、メインケース３１１とフロントモジュール３２は、複数のボルト３２４により、締結されるようになっている。また、メインケース３１１の後方端部には、後述する端子台モジュール３１３の少なくとも一部をメインケース３１１内部に収納可能な大きさの開口部を有するとともに、その周面には、リアケース３３の外周面に設けられた雄螺子部と螺合する雌螺子部が内周面に設けられている。
更に、メイン基板３１２は、上述したメインケース３１１の前方開口部の径より小さい略円形状の基板形状を有し、図４に示すように、メインケース３１１の長手方向に設けられる段部状の支持部に支持され、そして螺子によりメインケース３１１内部に位置決めされ、締結されるようになっている。同様に、フロントモジュール３２に設けられ、メインケース内に配置される一部の基板についても、メインケース３１１の前方開口部の径より小さい略円形状の基板形状を有している。また、端子台モジュール３１３を構成する全ての基板ならびに端子台カバー３１３１は、上述したメインケース３１１の後方開口部の径より小さい略円形状の基板形状を有し、図４に示すように、ボルトにてメインケース３１１の内周面に位置決め、固定されるようになっている。
【００２２】
図５は電源側から見た端子台モジュール３１３の斜視図であり、図６は端子側から見た端子台モジュール３１３の斜視図である。図７は電源側から見た端子台モジュール３１３の分解斜視図であり、図８は端子側から見た端子台モジュール３１３の分解斜視図である。図５〜８に示すように、端子台モジュール３１３は、端子台カバー３１３１と、出力端子台３１３２と、中継基板３１３３と、端子台基板３１３４と、電源基板３１３５とで構成されている。
【００２３】
端子台カバー３１３１は例えば樹脂によって形成されており、端子台カバー３１３１には貫通孔が設けられているとともに、出力端子台３１３２、中継基板３１３３、端子台基板３１３４、及び電源基板３１３５が取り付けられるべき部位が設けられている。それらの部位は凹部、凸部及び孔により特定されている。出力端子台３１３２は端子台カバー３１３１に設けられている貫通孔を塞ぐように端子台カバー３１３１に取り付けられ、中継基板３１３３は出力端子台３１３２とともに端子台カバー３１３１に設けられている貫通孔を塞ぐように端子台カバー３１３１に取り付けられている。中継基板３１３３は端子台基板３１３４からの信号を出力端子台３１３２に中継する。出力端子台３１３２は中継基板３１３３を介して得られる端子台基板３１３４からの信号である流量値を電磁流量計の外部に出力する。
また、図４に示すように、端子台モジュール３１３を構成する端子台基板３１３４、及び電源基板３１３５の間には、基板間の距離を設計した寸法と同等の長さを有する複数の中空パイプ部材３１３ａが配置され、この中空パイプ内に、電源基板３１３５側から挿入されるボルト３１３ｂが、端子台基板３１３４に設けられる開口を通って、端子台カバー３１３１に締結されるようになっており、この構成により、端子台カバー３１３１と、端子台基板３１３４と、電源基板３１３５とが位置決め固定されるようになっている。なお、その以外の基板である出力端子台３１３２と中継基板３１３３は、後述するように、各々直接端子台カバー３１３１に対して位置決め固定されるようになっている。
【００２４】
端子台基板３１３４はメイン基板３１２からの信号を処理する構成部であって、端子台基板３１３４には信号のノイズを除去する保護部品３１３４ａが配置されている。端子台基板３１３４は、端子台カバー３１３１の端子台基板３１３４が取り付けられるべき部位に、中継基板３１３３を覆うように端子台カバー３１３１に固定されている。電源基板３１３５には外部電源１０（図１参照）からの電力が端子台基板３１３４を介して供給され、電源基板３１３５はメイン基板３１２及び検出器１に電力を供給する。電源基板３１３５にはトランス３１３５ａと電解コンデンサ３１３５ｂとが配置されている。また、電源基板３１３５には図１に示されるＤＣ／ＤＣ変換回路２１と、チャージ回路２２と、絶縁回路２７とが設けられている。電源基板３１３５は、端子台カバー３１３１の電源基板３１３５が取り付けられるべき部位に、端子台基板３１３４を覆うように端子台カバー３１３１に固定されている。このように、端子台カバー３１３１を介して出力端子台３１３２と、中継基板３１３３と、端子台基板３１３４と、電源基板３１３５とが一体化され、端子台モジュール３１３が構成されている。
【００２５】
次に、フロントモジュール３２について説明する。図９は前方側から見たときのフロントモジュール３２の斜視図であり、図１０は後方側（本体部３１側）から見たときのフロントモジュール３２の斜視図である。図１１はフロントモジュール３２の分解斜視図である。図１２はフロントモジュール３２の断面図である。
【００２６】
図９〜図１２に示すように、フロントモジュール３２は、設定部３２１と、表示部３２２と、フロントケース３２３とで構成されている。設定部３２１には電磁流量計の測定対象である流量の測定に関する値がユーザによって設定される。流量の測定に関する値としては、例えば、検出器１で得られる電圧と端子台モジュール３１３から出力される値との関係を特定する係数や、応答速度が挙げられる。表示部３２２は、メイン基板３１２によって得られる値及び設定部３２１に設定される値を表示する。フロントケース３２３は、設定部３２１及び表示部３２２が収められており、メインケース３１１側の端部が開口している筒体であって、図３に示すように、メインケース３１１の前方端部の開口部にボルト３２４により着脱される。設定部３２１及び表示部３２２は、図３に示すように、フロントケース３２３のメインケース３１１側の開口している端部と対向する端部の面に、つまりフロントケース３２３の前面に設けられている。
【００２７】
設定部３２１及び表示部３２２について図９等を用いて具体的に説明する。フロントケース３２３の前面には、長方形状の開口部である第１の切り欠き３２３ａと、円形の開口部である第２の切り欠き３２３ｂ〜３２３ｅとが設けられている。
【００２８】
設定部３２１は、第２の切り欠き３２３ｂ〜３２３ｅそれぞれを貫き、それぞれを摺動するシャフト３２１ａ〜３２１ｄと、それらに設定部３２１の外部からのユーザによる指示としての押圧がかかるとそれを検知するスイッチ基板３２１ｅとで構成されている。また、第２の切り欠き３２３ｂ〜３２３ｅと、対応するシャフト３２１ａ〜３２１ｄとの間には、図１２に示すように、それらの空間を埋めるＯ（オウ）リング３２１ｆが配置されている。シャフト３２１ａ〜３２１ｄは、設定部３２１の外部から押圧されると第２の切り欠き３２３ｂ〜３２３ｅからスイッチ基板３２１ｅの向きに摺動し、押圧が解除されるとスイッチ基板３２１ｅから第２の切り欠き３２３ｂ〜３２３ｅの向きに摺動して押圧される前の位置に戻る。このように、設定部３２１は、設定部３２１の外部からの押圧による指示に反応する機械式スイッチであるタクトスイッチにより構成されている。
【００２９】
表示部３２２は、図１１に示すように、ガラス板３２２ａと、プレート３２２ｂと、液晶表示装置３２２ｃとで構成されている。ガラス板３２２ａは、第１の切り欠き３２３ａより大きく、第１の切り欠き３２３ａを塞ぐようにフロントケース３２３のメインケース３１１側の開口部側からフロントケース３２３に接している。プレート３２２ｂは、長方形状の開口部が設けられており、ガラス板３２２ａに重なるように接している。液晶表示装置３２２ｃは、プレート３２２ｂの開口部を塞ぐようにプレート３２２ｂに接している。
なお、メイン基板３１２と、フロントモジュール３２及び端子台モジュール３１３とは、例えばハーネス接続により接続される。
【００３０】
リアケース３３は、図３に示すように、円形の底面と底面に直立する筒状体とで構成されており、メインケース３１１側の端部が開口している。リアケース３３を構成する筒状体の外周には雄ねじが設けられており、その雄ねじはメインケース３１１の後方に設けられている雌ねじに嵌合可能であって、それら雄ねじと雌ねじとが利用されて、リアケース３３はメインケース３１１の後方端部の開口部に着脱される。
【００３１】
上述したように、本実施の形態の変換器２は、メイン基板３１２が設けられている本体部３１と、設定部３２１及び表示部３２２が設けられているフロントモジュール３２と、リアケース３３とで構成されている。したがって、ユーザは、本体部３１からフロントモジュール３２を分離すれば、本体部３１を分解することなく設定部３２１及び表示部３２２を点検又は交換することができる。
【００３２】
また、端子台モジュール３１３は、本体部３１のメインケース３１１内のリアケース３３寄りに、メインケース３１１の内側に着脱可能に設けられている。そのため、ユーザは、本体部３１からリアケース３３を分離すれば、本体部３１を大きく分解することなく端子台モジュール３１３を本体部３１の外部に取り出すことができる。これにより、ユーザは、本体部３１を大きく分解することなく端子台モジュール３１３を点検又は交換することができる。すなわち、ユーザは、端子台モジュール３１３を構成するトランス３１３５ａや電解コンデンサ３１３５ｂを容易に点検又は交換することができる。
【００３３】
また、変換器２の設定部３２１は機械式スイッチであるので、ユーザは、光学部品を用いる場合よりも正確に所望の値を設定することができる。電磁流量計は屋外に置かれるので、光学部品が用いられている場合、ガラス板が汚れることにより時間の経過とともにユーザは正確に所望の値を設定することが困難になる。しかしながら、本実施の形態では機械式スイッチが用いられているので、ユーザは設定部３２１に直接触れることができ、時間が経過してもユーザは正確に所望の値を設定することができる。
【００３４】
また、端子台カバー３１３１を介して出力端子台３１３２と端子台基板３１３４と電源基板３１３５とが一体化されて端子台モジュール３１３が形成されているので、変換器２のリア側の単純化及び小型化が実現されている。
なお、上述した実施の形態では、本発明の変換器の本体部が有する処理部の一例としてメイン基板３１２が用いられており、本発明の変換器のフロントモジュールを構成する棒状体の一例としてシャフト３２１ａ〜３２１ｄが用いられている。
また、設定部３２１は、設定部３２１の外部からの押圧による指示に反応する機械式スイッチでありさえすれよい。
また、フロントモジュール３２のフロントケース３２３と、本体部３１のフロントケース３２３とは、それぞれの開口部に設けられる雄ねじと雌ねじとにより着脱されてもよい。
また、ガラス板３２２ａは透明であれば樹脂等により形成された基板に置き換えられてもよい。
また、リアケース３３を構成する筒状体の外周には雌ねじが設けられており、その雌ねじがメインケース３１１の後方に設けられている雄ねじに嵌合可能であって、それら雌ねじと雄ねじとが利用されて、リアケース３３はメインケース３１１の後方端部の開口部に着脱されてもよい。
更に、端子台モジュール３１３はリアケース３３の空洞部に配置されていてもよい。
【産業上の利用可能性】
【００３５】
本発明の変換器は、ファラデーの法則による電磁気力を利用して導電性流体の流量を測定する電磁流量計の一部として有用である。
【図面の簡単な説明】
【００３６】
【図１】本実施の形態における電磁流量計の回路図
【図２】本実施の形態の検出器１の分解斜視図
【図３】本実施の形態の変換器２の分解斜視図
【図４】本実施の形態の変換器２の断面図
【図５】電源側から見た端子台モジュール３１３の斜視図
【図６】端子側から見た端子台モジュール３１３の斜視図
【図７】電源側から見た端子台モジュール３１３の分解斜視図
【図８】端子側から見た端子台モジュール３１３の分解斜視図
【図９】前方側から見たときのフロントモジュール３２の斜視図
【図１０】後方側（本体部３１側）から見たときのフロントモジュール３２の斜視図
【図１１】フロントモジュール３２の分解斜視図
【図１２】フロントモジュール３２の断面図
【符号の説明】
【００３７】
１  検出器
２  変換器
３１  本体部
３２  フロントモジュール
３３  リアケース
３１１  メインケース
３１２  メイン基板
３１３  端子台モジュール
３１３１  端子台カバー
３１３２  出力端子台
３１３３  中継基板
３１３４  端子台基板
３１３５  電源基板
３２１  設定部
３２２  表示部
３２３  フロントケース
３２１ａ〜３２１ｄ  シャフト
３２１ｅ  スイッチ基板
３２２ａ  ガラス板
３２２ｂ  プレート
３２２ｃ  液晶表示装置
【図１】
2009257818.tif 000003
【図２】
2009257818.tif 000004
【図３】
2009257818.tif 000005
【図４】
2009257818.tif 000006
【図５】
2009257818.tif 000007
【図６】
2009257818.tif 000008
【図７】
2009257818.tif 000009
【図８】
2009257818.tif 000010
【図９】
2009257818.tif 000011
【図１０】
2009257818.tif 000012
【図１１】
2009257818.tif 000013
【図１２】
2009257818.tif 000014